(57)【特許請求の範囲】
【請求項１】
少なくとも３本以上の柱体間に展張された防水シートを上記柱体の上下方向に沿って移動自在に保持すると共に、上記防水シートの各コーナー部には、気体が封入されたアドバルーンの紐部を結着させ、該アドバルーンの浮力で上記シートを所望高さ位置に吊持してシート下方で各種作業を行うことを特徴とするアドバルーン施工方法。
【請求項２】
前記柱体は、チャンネル部材であることを特徴とする請求項１に記載のアドバルーン施工方法。
【請求項３】
前記アドバルーンの紐部は、前記チャンネル部材の凹部に沿って滑動自在なローラに結着されていることを特徴とする請求項１または請求項２のいずれかに記載のアドバルーン施工方法。
【請求項４】
前記アドバルーンの紐部は、前記柱体とシートとの間が、パイプに挿通されていることを特徴とする請求項１乃至請求項３のいずれかに記載のアドバルーン施工方法。
【請求項５】
前記複数個のアドバルーンで吊持されたシートは、その一辺部が他辺部よりも高い位置に吊持されることを特徴とする請求項１乃至請求項４のいずれかに記載のアドバルーン施工方法。
【請求項６】
前記シートの略中央部が新たなアドバルーンで吊持され、該新たなアドバルーンは、上記シートの略中央部を他のシート縁部よりも高い位置に吊持することを特徴とする請求項１乃至請求項４のいずれかに記載のアドバルーン施工方法。
【発明の詳細な説明】
【０００１】
【発明の属する技術分野】
この発明は、雨天においても建設作業等を雨に濡れることなく施工することができ、工期を大幅に短縮化することができるアドバルーンを利用した施工方法に関する。
【０００２】
【従来技術とその課題】
例えば、一般家屋を建築する場合、基礎工事が終了した後に、棟上などの必要作業を順次行って建築を行うが、施工から完成までの工期が長いため、天候が常に作業可能な日ばかり続くわけではなく、雨天のときには、作業を中止しているのが現状であるため、上記完成までの工期が延びて建設コストを押し上げる要因ともなっている、という課題を有していた。
【０００３】
この発明は、かかる現状に鑑み創案されたものであって、その目的とするところは、雨天においても建設作業等を雨に濡れることなく施工することができ、工期を大幅に短縮化することができるアドバルーン施工方法を提供しようとするものである。
【０００４】
【課題を解決するための手段】
上記目的を達成するため、この発明に係るアドバルーン施工方法にあっては、少なくとも３本以上の柱体間に展張された防水シートを上記柱体の上下方向に沿って移動自在に保持すると共に、上記防水シートの各コーナー部には、気体が封入されたアドバルーンの紐部を結着させ、該アドバルーンの浮力で上記シートを所望高さ位置に吊持することで、シート下方で各種作業を行うことができるように構成したことを特徴とするものである。
【０００５】
この発明にあっては、上記柱体を、チャンネル部材で構成し、上記アドバルーンの紐部を、上記チャンネル部材の凹部に沿って滑動自在なローラに結着して構成するのが望ましい。
【０００６】
また、この発明にあっては、上記アドバルーンの紐部を、前記柱体とシートとの間に配設されたパイプに挿通し、パイプの下端部を柱体に固定することで、シートが風に流されるのを防止するように構成したことを特徴とするものである。
【０００７】
さらに、この発明にあっては、上記複数個のアドバルーンで吊持されたシートを、その一辺部が他辺部よりも高い位置に吊持することで、雨がシートに溜まらないように構成したことを特徴とするものである。
【０００８】
またさらに、この発明にあっては、上記シートの略中央部を新たなアドバルーンで吊持し、該新たなアドバルーンは、上記シートの略中央部を他のシート縁部よりも高い位置に吊持するように構成することで、雨がシートに溜まらないように構成したことを特徴とするものである。
【０００９】
【発明の実施の形態】
以下、添付図面に示す実施の一形態例に基づきこの発明を詳細に説明する。
【００１０】
図１に示すように、この形態例に係るアドバルーン施工方法では、建設予定地の基礎部分に垂直に立設された４本のＨ型チャンネル柱体１，１，１，１間に熱反射処理が施された防水シート２を展張し、該防水シート２の各コーナー部には、気体が封入されたアドバルーン３，３，３，３の各紐部４，４，４，４の下端部ガイドローラ５，５，５，５に結着させ、該アドバルーン３，３，３，３の浮力で上記防水シート２を所望高さ位置に吊持することで、雨天であっても、該防水シート２の下方で各種施工作業を行うことができるように構成されている。
【００１１】
アドバルーン３，３，３，３は、熱反射処理及び耐水性が施されている他は、従来のアドバルーンの構造と同様であるので、その詳細な説明をここでは省略する。勿論、封入されるガスは、ヘリウムガスであり、各アドバルーン３，３，３，３には防水シート２を持ち上げる浮力が得られる程度に封入されている。尚、このアドバルーン３，３，３，３は、工事中であることを外から視認することができるように、適宜の色彩を施して形成してもよく、また、夜行塗料を塗って形成してもよい。
【００１２】
上記各ガイドローラ５，５，５，５は、図２に示すように、軸１０の両端部に回転自在に軸支された一対のローラ体１１，１１から構成されており、前記各紐部４，４，４，４の下端部は、上記ローラ体１１，１１間の軸１０に結着されている。
【００１３】
このガイドローラ５，５，５，５は、Ｈ型チャンネル柱体１，１，１，１の垂直面部１ａの間隔寸法より若干短い長さ寸法を有して構成されているが、ガイドローラ５，５，５，５の脱落を防止するためには、例えば、ガイドローラ５，５，５，５の各ローラ体１１，１１を軸支する軸１０，１０の両端部を各ローラ体１１，１１から外方へ突出させると共に、各ローラ体１１，１１と対面するＨ型チャンネル柱体１，１，１，１の垂直面部１ａ，１ａに断面形状が凹状に形成されたガイドレール(図示せず)を貼着し、該ガイドレールの凹部に上記突出した軸１０をスライド自在に嵌合させるように構成してもよい。
【００１４】
また、上記Ｈ型チャンネル柱体１，１，１，１の垂直面部１ａ，１ａ，１ａ，１ａには、上下方向に沿って所要間隔毎に通孔６が開設されており、上記アドバルーン３，３，３，３により防水シート２が所望高さ位置まで上昇したときに、該高さ位置に開設された上記通孔６にボルト７等の止着具を挿入し、該ボルト７の先端部を、同高さ位置まで上昇したローラ体１１の軸部に開設された係止孔１２に螺合させることで、防水シート２を所望高さ位置に展張したまま保持することができる。
【００１５】
勿論、この発明にあっては、ガイドローラ５，５，５，５自体を廃止して、アドバルーン３，３，３，３の浮力のみで防水シート２を吊持するように構成してもよいが、防水シート２が風に流されないようにするため、この形態例では、防水シート２と各柱体１，１，１，１の上端部との間に、その下端部が各柱体１，１，１，１に固着されたパイプ（図示せず）に挿通して構成されている。
【００１６】
また、この発明にあっては、雨が防水シート２の中心部分に溜まってその重みで防水シート２が下降するのを防止するため、例えば、防水シートの中心部に新たなアドバルーン１３を連結し、該アドバルーン１３の浮力は、他のアドバルーン３，３，３，３の浮力よりも若干軽く設定することで、防水シートをテント状に展張することで、雨を防水シートに溜めることなく、防水シートの周縁部から排水することができる。
【００１７】
この場合、防水シートの表面側に、図示はしないが、排水ガイドとなる浅い凹溝を形成しておくことで、排水方向を、例えば、Ｈ型チャンネル柱体１，１，１，１方向へと誘導することができ、防水シート周縁部から滴下する雨が作業者へと降り注ぐのを有効に防止することができる。勿論、上記複数個のアドバルーン３，３，３，３で吊持された防水シート２の一辺部を、他辺部よりも高い位置に吊持した片流れ状に構成することで、雨がシートに溜まらないようにしてもよい。
【００１８】
【発明の効果】
以上説明したように、この発明に係るアドバルーン施工方法にあっては、少なくとも３本以上の柱体間に展張された防水シートを上記柱体の上下方向に沿って移動自在に保ると共に、上記防水シートの各コーナー部には、気体が封入されたアドバルーンの紐部を結着させ、該アドバルーンの浮力で上記シートを所望高さ位置に吊持することで、該シート下方で各種作業を行うことができるように構成したので、雨天においても建設作業等を雨に濡れることなく施工することができ、工期を大幅に短縮化することができるという優れた効果が得られる。
【００１９】
また、請求項２及び請求項３に記載の発明にあっては、上記柱体を、チャンネル部材で形成し、該チャンネル部材の凹部を利用してガイドローラを昇降自在に配設することで、アドバルーンの昇降方向を柱材の真上方向に誘導でき、また、所望高さ位置に防水シートを容易に展張することができる。
【００２０】
さらに、請求項４に記載の発明にあっては、上記アドバルーンの紐部を、前記柱体とシートとの間に配設されたパイプに挿通し、パイプの下端部を柱体に固定したので、防水シートが風に流されるのを有効に防止することができる。
【００２１】
またさらに、請求項５及び請求項６に記載の発明にあっては、上記複数個のアドバルーンで吊持されたシートを、その一辺部が他辺部よりも高い位置に吊持し、或は、上記シートの略中央部を新たなアドバルーンで吊持し、該新たなアドバルーンは、上記シートの略中央部を他のシート縁部よりも高い位置に吊持するように構成することで、雨がシートに溜まらないようにすることができる。
【図面の簡単な説明】
【図１】この発明の実施の一形態例に係るアドバルーン施工例を示す説明図である。
【図２】同施工方法に用いられるガイドローラの構成を示す斜視図である。
【符号の説明】
１  Ｈ型チャンネル柱体
２  防水シート
３,１３  アドバルーン
４  紐部
５  ガイドローラ
【図１】
0004159714.tif 000002
【図２】
0004159714.tif 000003